(57)【特許請求の範囲】
【請求項１】
充填剤が充填されたシリンダ、および、これと着脱可能に組み合わされることによって実質的にゼロから所定値までの範囲で容積可変な閉鎖空間を形成するピストンを有していると共に、前記閉鎖空間の容積が実質的にゼロの状態において前記シリンダ内の充填剤と連通する第１および第２の連通孔が設けられたインジェクターと、
溶媒を送出するポンプに接続される第１の接続口、サンプルの分離が行われるカラムに接続される第２の接続口、前記インジェクターの第１の連通孔に接続された第３の接続口、および、前記インジェクターの第２の連通孔に接続された第４の接続口を有しており、前記第１の接続口と前記第２の接続口との間が連結される第１の状態と、前記第１の接続口と前記第３の接続口との間および前記第２の接続口と前記第４の接続口との間が連結される第２の状態とを切換え可能なインジェクションバルブとを備えていることを特徴とするインジェクション装置。
【請求項２】
前記インジェクターを着脱可能に支持する支持部材をさらに備えていることを特徴とする請求項１に記載のインジェクション装置。
【請求項３】
前記インジェクターは、前記第１の連通孔が閉じた状態と開いた状態とを切換えるための切換え部材をさらに有していることを特徴とする請求項１または２に記載のインジェクション装置。
【発明の詳細な説明】
【０００１】
【発明の属する技術分野】
本発明は、インジェクション装置に関し、簡易に、しかも確実且つ迅速に試料を分離することが可能な分取液体クロマトグラフに用いられるインジェクション装置に関する。
【０００２】
【従来の技術】
移動相として液体溶媒（溶離液）を用いる液体クロマトグラフにおいては、溶離液を送出するポンプと固定相が充填されたカラムとの間に多方弁であるインジェクションバルブを介してインジェクターが接続され、インジェクターから試料（サンプル）および溶離液がカラムに供給される構成になっている。カラム内に導入されたサンプル内の各成分はそれぞれカラムを通過する時間が異なるため、カラムから排出される時点では各成分が分離されることになる。
【０００３】
この際、分離するサンプルにより、通常２〜４種類の溶離液を混合することにより溶離液の成分比率を変えるのが一般的である。しかも、カラムから排出されるサンプルの各成分が重ならないように、且つ短時間で分離が行われるようにするため、溶離液の混合比を段階状にまたは徐々に変化させることが行われている（グラジエント法）。
【０００４】
係る液体クラマトグラフィにおいて、インジェクターとしては、コイル状に巻回されたチューブ、または、内部に可動栓、遊走栓および固定栓がこの順番で配置されていると共に遊走栓との間隙から液体が流通するようにリング状の凹部が設けられた筒状シリンダ（実公平１−４１４７３号公報参照）が用いられるのが一般的である。
【０００５】
【発明が解決しようとする課題】
しかしながら、インジェクターとしてチューブを用いた場合には、注射器を用いてチューブ内にサンプルを導入する必要が生じてその作業が煩雑となってしまうと共に注射器に残るサンプルが無駄になってしまう。
【０００６】
他方、インジェクターとして筒状シリンダを用いた場合には、以下のような問題が生じる。まず、サンプルと溶離液との界面の面積が比較的大きくなるために、サンプルと溶離液とが混合されサンプルの濃度が大幅に低下してしまうことがある。次に、グラジエント法により液体クロマトグラフを行う際に、異なる比率で混合された溶離液どうしがインジェクター内で混合されて溶離液の成分比率が所定の比率から大きく外れてしまう。これを防止するためには、インジェクター内のサンプルをカラムに入れ終えた段階で、溶離液がインジェクターを通過しないでカラムに供給されるようにインジェクションバルブを切換える必要がある。しかしながら、これを自動的に行おうとするとインジェクションバルブの切り換えタイミングを計るためのセンサを配置しなければならず装置構成が複雑になってしまう。さらに、サンプルが保持される固定栓と遊走栓との間にサンプルと共に不可避的に空気が含まれてしまい、この空気がカラムに送り込まれてカラム内の充填剤が乾燥したり、サンプルの結晶化が起こったりするおそれがある。
【０００７】
そこで、本発明の主な目的は、インジェクター内にサンプルを無駄なく簡易に導入することができ、濃度の大幅な低下を引き起こすことなくサンプルをカラムに供給することができ、溶離液の成分比率が所定の比率から大きく外れるのを防止しつつ装置構成を複雑にすることなく自動化が可能であると共に、カラムに空気が送り込まれることがないインジェクション装置を提供することである。
【０００８】
【課題を解決するための手段】
上記目的を達成するために、請求項１記載のインジェクション装置は、充填剤が充填されたシリンダ、および、これと着脱可能に組み合わされることによって実質的にゼロから所定値までの範囲で容積可変な閉鎖空間を形成するピストンを有していると共に、前記閉鎖空間の容積が実質的にゼロの状態において前記シリンダ内の充填剤と連通する第１および第２の連通孔が設けられたインジェクターと、溶媒を送出するポンプに接続される第１の接続口、サンプルの分離が行われるカラムに接続される第２の接続口、前記インジェクターの第１の連通孔に接続された第３の接続口、および、前記インジェクターの第２の連通孔に接続された第４の接続口を有しており、前記第１の接続口と前記第２の接続口との間が連結される第１の状態と、前記第１の接続口と前記第３の接続口との間および前記第２の接続口と前記第４の接続口との間が連結される第２の状態とを切換え可能なインジェクションバルブとを備えている。
【０００９】
このように、請求項１において、インジェクションバルブは、第１の状態と第２の状態とに切り換えられるため、第１の状態で溶離液を送出するポンプとカラムとを接続しカラムウェッティングを行い、第２の状態で溶離液を送出するポンプとインジェクターとを接続し、インジェクターとカラムとを接続することで、インジェクターに溶離液を送出し、インジェクターからカラムへサンプルを入れることができる。
【００１０】
請求項１によると、ピストンをシリンダから取り外した状態でシリンダ内に直接サンプルを流し込むことができるので、インジェクター内にサンプルを導入する作業を簡易に行うことができて、しかもサンプルの無駄が生じることもない。また、シリンダ内に流し込まれたサンプルは充填剤に吸着されるので、インジェクター内に溶離液が供給されてもサンプルと溶離液とが混合することがほとんどなく、サンプルの濃度が大幅に低下するのが抑制される。また、グラジエント法を行う際にインジェクター内に成分比率の異なる溶離液が順次導入されたとしても、シリンダ内に充填剤が充填されているために、溶離液どうしが混合してその成分比率が所定の比率から大きく外れることがなくなる。そのため、インジェクター内のサンプルをカラムに入れ終えた段階で、溶離液がインジェクターを通過しないでカラムに供給されるようにインジェクションバルブを切換える必要がなくなり、センサを配置しなくても装置動作の自動化を実現することが可能となる。さらに、充填剤とピストンとの間に形成される閉鎖空間の容積を実質的にゼロとすることができるので、カラムに空気が送り込まれることがなくなる。そのため、カラム内の充填剤が乾燥したり、サンプルの結晶化が起こったりするのが抑制される。
【００１１】
なお、本発明において、特開平２０００−２７５２２８号公報に記載されているように、複数のインジェクターおよびカラムを並列に並べ、インジェクションバルブでそのいずれかを選択可能とするようにしてもよい。特開平２０００−２７５２２８号公報のインジェクション装置は、４つのインジェクションバルブ（ロータリーバルブ）に複数のインジェクターおよびカラムを接続し、これらのロータリーバルブを順次切換えて、インジェクター内のサンプルを順次任意のカラムに送出できるようにしたものである。このとき、１つのインジェクターと１つのカラムに対応させる必要は必ずしもなく、複数のインジェクターに１つのカラムを対応させることもできる。
【００１２】
請求項２に記載のインジェクション装置は、前記インジェクターを着脱可能に支持する支持部材をさらに備えていることを特徴としている。
【００１３】
請求項２によると、支持部材によってインジェクターが着脱可能に支持されるので、予めサンプルが導入されたインジェクターを簡易に設置することができる。また、この支持部材をシリンダに対してピストンを押さえ込むことができるような構成とすれば、クロマトグラフの準備段階においてインジェクター内に空気が残ってしまうことを効率よく防止することができる。
【００１４】
請求項３に記載のインジェクション装置においては、前記インジェクターは、前記第１の連通孔が閉じた状態と開いた状態とを切換えるための切換え部材をさらに有している。
【００１５】
請求項３によると、切換え部材を操作して第１の連通孔が開いた状態でピストンを押し下げて閉鎖空間内の空気を第１の連通孔を介して外部に追い出してから、再度切換え部材を操作して第１の連通孔を閉じた状態にすることができる。これにより、シリンダとピストンとの間の閉鎖空間に空気が残ってしまうのを効率よく防止することができる。
【００１６】
【発明の実施の形態】
以下、図面を参照しつつ本発明の好適な実施の形態を説明する。
【００１７】
図１は、本発明の第１の実施の形態のインジェクション装置を含む液体クロマトグラフ装置の概略的な模式図である。この液体クロマトグラフ装置は、インジェクション装置１と、溶離液供給機構２と、カラム１４と、検知器１５とを有する。
【００１８】
インジェクション装置１は、インジェクター３と、インジェクションバルブ４とを有する。図２にインジェクター３の断面図を示す。インジェクター３は、充填剤３ｅが充填されかつ底部に連通孔３ｄを有するシリンダ３ａと、上部に連通孔３ｅを有するピストン３ｂと、ピストン３ｂの連通孔３ｅに螺合されるボルト３ｇとを含んでいる。ピストン３ｂはシリンダ３ａに着脱可能であり、ボルト３ｇを連通孔３ｅから取り外した状態でピストン３ｂをシリンダ３ａに押し込むことで両者の間の閉鎖空間３ｆの容積をほぼゼロにまで変化させることができる。
【００１９】
インジェクター３内にサンプルを導入するには、ピストン３ｂをシリンダ３ｂから外し、サンプルを充填剤３ｃの上部に流し込み、サンプルが充填剤３ｃに吸着されたらボルト３ｇを取り外して連通孔３ｅから空気を抜きながらピストン３ｂを閉鎖空間３ｆがほぼゼロになるまで押し下げる。このような簡易な作業を行うことで、インジェクター３内に空気が残ることを防止しつつ、しかも注射器などを用いずに無駄なくインジェクター３にサンプルを導入することができる。さらに、ピストン３ｂをシリンダ３ａに近づけていくことによって両者の間に形成された閉鎖空間３ｆの容積を実質的にゼロとすることができるので、後述するように、カラム１４に空気が送り込まれることがなくなる。そのため、カラム１４内の充填剤が乾燥したり、サンプルの結晶化が起こったりするのが抑制される。
【００２０】
本実施の形態のインジェクション装置１においては、インジェクションバルブ４として、６つの接続口Ｖ１〜Ｖ６を有し、接続口Ｖ１と接続口Ｖ２、接続口Ｖ３と接続口Ｖ４、接続口Ｖ５と接続口Ｖ６がそれぞれ連結される溶離液送出状態（第２の状態）と、接続口Ｖ２と接続口Ｖ３、接続口Ｖ４と接続口Ｖ５、接続口Ｖ６と接続口Ｖ１がそれぞれ連結されるカラムウェッティング状態（第１の状態）に切換え可能である六方バルブが用いられている.。図１に示すように、インジェクションバルブ４の接続口Ｖ２とインジェクター３の連通孔３ｄ、および、接続口Ｖ５とインジェクター３の連通孔３ｅとがそれぞれ接続される。
【００２１】
溶媒供給機構２は、ポンプ５と、異なる成分を含む溶離液Ａ〜Ｄがそれぞれ蓄えられた容器６〜９と、容器６〜９からの溶離液Ａ〜Ｄの供給をそれぞれ制御する電磁弁１０、１１、１２と、混合器１３とを有する。電磁弁１０〜１２は三方電磁弁であり、電磁弁１０は溶離液ＡとＢのいずれかを選択して後段に送ることができるようにされており、電磁弁１１は溶離液ＣとＤのいずれかを選択して後段に送ることができるようにされている。そして、電磁弁１２は電磁弁１０の出口と電磁弁１１の出口のいずれかを選択して混合器１３に送るようにされている。混合器１３において溶離液は混合され、混合された溶離液がポンプ５によりインジェクションバルブ４へと送出される。
【００２２】
カラム１４には充填剤が充填されており、その一方の端部が検知器１５に接続されている。液体クロマトグラフィの実行によりサンプルはカラム１４内にて分離され、検知器１５により分析され、分析結果が表示される。
【００２３】
図１に示す液体クロマトグラフ装置においては、溶離液供給機構２がインジェクションバルブ４の接続口Ｖ１に、カラム１４がインジェクションバルブ４の接続口Ｖ２にそれぞれ接続されている。
【００２４】
本実施の形態のインジェクション装置１において、インジェクター３は、図３および図４に示すような支持部材４０に支持されてよい。図３は、支持部材４０の断面図であり、図４はその正面図である。これらの図面に示すように、支持部材４０は、水平方向に延在した土台４１と、土台４１に支持されており上方に延在した２本の支持柱４２および４３と、支持柱４２、４３に挿入されかつその上端部近傍に支持されて水平方向に延在したピストン押え４６と、支持柱４２、４３に挿入されかつそのやや上方よりの部分に支持されて水平方向に延在したシリンダ押え４７と、ボルト５０、５１によってシリンダ押え４７の下方に固定されたアーム４８と、ピストン押え４６およびシリンダ押え４７と螺合した調節具５２とを備えている。
【００２５】
土台４１の一端には、インジェクター３と接続される接続口５３ａおよびチューブを介してインジェクションバルブ４と接続される接続口５３ｂを有する接続部５３が取り付けられている。また、支持柱４２、４３のピストン押え４６とシリンダ押え４７との間の部分には、コイルバネ４４、４５が嵌挿されている。また、シリンダ押え４７には、これを所望の高さで固定するためのボルト４９が螺合されている。シリンダ押え４７とピストン押え４６との間の距離は、コイルバネ４４、４５の弾性力に抗して調節具５２を回動させることによって調節することができるようになっている。
【００２６】
支持部材４０にインジェクター３を取り付けるには、まず、インジェクター３の連通孔３ｄを接続部５３の接続口５３ａにはめ込み、シリンダ３ａを上方から押える位置にシリンダ押え４７を移動させた後、これをボルト４９で固定する。次に、ピストン押え４６が上方からピストン３ｂを押さえつけるようになるまで調節具５２を回動させる。インジェクター３を取り外すには、上述したのと逆の動作を行えばよい。このように、支持部材４０を用いることで、予めサンプルが導入されたインジェクター３を比較的簡易な作業で固定配置することができる。また、支持部材４０はシリンダ３ａに対してピストン３ｂを押さえ込むことができるような構成となっているので、閉鎖空間３ｆの容積を確実にゼロ付近にまで減少させることができて、クロマトグラフの準備段階においてインジェクター３内に空気が残ってしまうことを効率よく防止することができる。
【００２７】
次に、上述した装置により液体クロマトグラフを行う工程を説明する。最初、インジェクションバルブ４はカラムウェッティング状態にあり、接続口Ｖ１と接続口Ｖ６とが連結されることによって溶媒供給機構２とカラム１４とがインジェクションバルブ４を介して連結されている。図１において、矢印Ａ１は、カラムウェッティング状態におけるインジェクションバルブ４を通過する溶離液の流れを示す。この矢印Ａ１を参照することから明らかなように、カラムウェッティング状態では、溶媒供給機構２からインジェクションバルブ４を介してカラム１４に溶離液が送出され、カラム１４内の充填剤１４ｂが溶離液によりウェッティングされる。
【００２８】
カラム１４内の充填剤が充分にカラムウェッティングされたら、インジェクションバルブ４を溶離液送出状態に切り換える。すると、接続口Ｖ１と接続口Ｖ２および接続口Ｖ５と接続口Ｖ６とが連結されることによって、溶媒供給機構２とインジェクター３の連通孔３ｄとがインジェクションバルブ４を介して連結されると共にインジェクター３の連通孔３ｅとカラム１４とがインジェクションバルブ４を介して連結される。図１において、矢印Ａ２は、溶離液送出状態におけるインジェクションバルブ４を通過する溶離液（およびサンプル）の流れを示す。この矢印Ａ２を参照することから明らかなように、溶離液供給機構２から送出される溶離液は接続口Ｖ１からインジェクションバルブ４に入り接続口Ｖ２から出てインジェクター３に送られる。そして、連通孔３ｄからインジェクター３内に溶離液が注入されることにより、インジェクター３内の充填剤３ｃに吸着されていたサンプルが成分ごとに分離されて連通孔３ｅから送出される。
【００２９】
このとき、上述したようにピストン３ｂをシリンダ３ａの間に形成された閉鎖空間３ｆの容積が実質的にゼロとなっているので、サンプルと共に或いはこれに先だってカラム１４に空気が送り込まれることがなく、カラム１４内の充填剤が乾燥したり、サンプルの結晶化が起こったりするのが抑制される。さらに、シリンダ３ａ内に充填剤３ｃが充填されているために、シリンダ３ａの断面積が比較的大きいにもかかわらず、溶離液とサンプルとがほとんど混合することがない。そのため、元々の濃度からほとんど低下していない濃度を有するサンプルが連通孔３ｅから送出されることになる。
【００３０】
また、溶離液送出状態では、インジェクションバルブ４の接続口Ｖ５と接続口Ｖ６とが連結されているため、連通孔３ｅから送出されたサンプルは、接続口Ｖ５からインジェクションバルブ４に入り接続口Ｖ６から出てカラム１４に送出される。カラム１４内の充填剤によってサンプルは成分ごとに分離されてカラム１４から排出される。カラム１４から排出された成分に分けられたサンプルは検知器１５に供給される。検知器１５は、各成分の定量分析を行ってその結果を表示する。
【００３１】
また、溶離液送出状態では、グラジエント法にしたがい電磁弁１０〜１２を適宜切り換えることによって、混合器１３内の溶離液の成分比率を変更しつつインジェクター３に溶離液を送出する。このとき、シリンダ３ａ内に充填剤３ｃが充填されているために、異なる混合比の溶離液どうしが混合することがほとんどなく、各溶離液の成分比率は所定の比率から大きく外れることはない。従って、インジェクター３からカラム１４へのサンプルの供給が終了してもインジェクションバルブ４を溶離液送出状態からカラムウェッティング状態に切り換えて溶離液の経路を変更する必要がない。よって、本実施の形態のインジェクション装置１を用いることにより、溶離液供給機構２において、溶離液Ａ〜Ｄの混合比、混合液それぞれの送出時間を予め設定しておけば、液体クロマトグラフィの開始から終了までの工程を自動化することができる。しかも、上述した筒状シリンダを用いた場合のようにインジェクションバルブの切り換えタイミングを計るためのセンサを配置する必要がなく、装置構成を簡略なものとすることができる。
【００３２】
次に、本発明の第２の実施の形態について説明する。図５は、本実施の形態のインジェクション装置を含む液体クロマトグラフ装置の概略的な模式図である。この液体クロマトグラフ装置は、インジェクション装置３１と、溶離液供給機構３２と、カラム１４と、検知器１５とを有している。インジェクション装置３１および溶離液供給機構３２以外の部材は第１の実施の形態と同様に構成されているので、ここではその詳細な説明を省略する。なお、図５において、矢印Ｂ１は、カラムウェッティング状態における溶離液の流れを、矢印Ｂ２は溶離液送出状態における溶離液（およびサンプル）の流れをそれぞれ示している。
【００３３】
図５に示すように、インジェクション装置３１は、６本のインジェクター２１〜２６（それぞれが図２に示すインジェクター３と同様に構成されている）と、２つのロータリーバルブ１７、１８と、インジェクションバルブ４とを備えている。インジェクションバルブ４の接続口Ｖ１には溶離液供給機構３２が接続されており、インジェクションバルブ４の接続口Ｖ２にはカラム１４が接続されている。
【００３４】
ロータリーバルブ１７および１８はそれぞれ７つの接続口ＲＶ１〜７を有している。ロータリーバルブ１７の接続口ＲＶ７は、インジェクションバルブ４の接続口Ｖ２に接続されている。ロータリーバルブ１８の接続口ＲＶ７は、インジェクションバルブ４の接続口Ｖ５に接続されている。ロータリーバルブ１７には、これを回動させるためのステッピングモータＳＭ１が接続されており、ロータリーバルブ１８にはステッピングモータＳＭ２が接続されている。ロータリーバルブ１７、１８内においては、中心にある接続口ＲＶ７と、６つの接続口ＲＶ１〜６のいずれか１つとが選択的に連結される。接続口ＲＶ７と連結される接続口は、ステッピングモータＳＭ１、ＳＭ２によってロータリーバルブ１７、１８を回動させることで切り換えられる。ロータリーバルブ１７および１８の接続口ＲＶ７はインジェクションバルブ４の接続口Ｖ２および接続口Ｖ５にそれぞれ接続されている。ロータリーバルブ１７の接続口ＲＶ１〜６はそれぞれインジェクター２１〜２６の一方の端部に接続されている。また、ロータリーバルブ１８の接続口ＲＶ１〜６はそれぞれインジェクター２１〜２６の他方の端部に接続されている。
【００３５】
ステッピングモータＳＭ１およびＳＭ２は図示しない駆動回路を介して例えばパーソナルコンピュータである制御装置に接続されている。この制御装置によってステッピングモータＳＭ１およびＳＭ２を制御することで、ロータリーバルブ１７、１８を介してインジェクションバルブ４と連結される任意のインジェクター２１〜２６を選択することが可能となっている。
【００３６】
一方、溶離液供給機構３２は、ポンプ５と、溶離液が貯溜された容器１６とを有している。容器１６の中の溶離液は、ポンプ５によりインジェクションバルブ４へと送出される。なお、図示省略したが、容器１６には、図１で説明したのと同様に複数の溶離液がその混合比を調節されて供給される。
【００３７】
上記の液体クロマトグラフ装置を用いると、インジェクションバルブ４を切り換えて任意のインジェクター２１〜２６を選択した後に上述した第１の実施の形態と同様の工程を行うことで、選択したインジェクター２１〜２６に含まれるサンプルについて液体クロマトゲラフィを行なうことができる。この場合、カラムウェッティングの後インジェクションバルブ４をカラムウェッティング状態から溶離液送出状態に切換えれば、その後インジェクションバルブ４を切換える必要がなく、センサを配置しなくても装置動作を自動化することができる。
【００３８】
また、本実施の形態のような液体クロマトグラフ装置では、ステッピングモータＳＭ１、ＳＭ２を自動制御することにより、６つのインジェクター２１〜２６に含まれるサンプルについて順次自動的に液体クロマトゲラフィを行なうことができるようになる。このようにインジェクター２１〜２６の選択を自動化することで、無人での動作が可能であり、省力化に著しい効果がある
【００３９】
以上、本発明の好適な実施の形態について説明したが、本発明は上述の実施の形態に限られるものではなく、特許請求の範囲に記載した限りにおいて様々な設計変更が可能なものである。例えば、インジェクターは、必ずしも図示されたような形状のものでなくてもよく、図示された以外の形状を有していてもよい。また、インジェクションバルブとしては、上述した実施の形態で使用したような六方バルブに限らず、様々なタイプのものを使用することができる。
【００４０】
また、支持部材としては、図３および図４で説明した形態に限らず、インジェクターを安定して着脱可能に保持させることができるものであればよい。また、支持部材は、１本とは限らず複数本のインジェクターを安定して保持させるものであってもよい。
【００４１】
また、第２の実施の形態では、複数のインジェクターを並列に並べてそのいずれか１つ選択可能としたが、同様にインジェクションバルブ４の下流側に別途ロータリーバルブを接続して複数のカラム１４を並列に並べそのいずれかをロータリーバルブで選択可能とすることもできる。
【００４２】
【発明の効果】
以上説明したように、請求項１によると、ピストンをシリンダから取り外した状態でシリンダ内に直接サンプルを流し込むことができるので、インジェクター内にサンプルを導入する作業を簡易に行うことができて、しかもサンプルの無駄が生じることもない。また、シリンダ内に流し込まれたサンプルは充填剤に吸着されるので、インジェクター内に溶離液が供給されてもサンプルと溶離液とが混合することがほとんどなく、サンプルの濃度が大幅に低下するのが抑制される。また、グラジエント法を行う際にインジェクター内に成分比率の異なる溶離液が順次導入されたとしても、シリンダ内に充填剤が充填されているために、溶離液どうしが混合してその成分比率が所定の比率から大きく外れることがなくなる。そのため、インジェクター内のサンプルをカラムに入れ終えた段階で、溶離液がインジェクターを通過しないでカラムに供給されるようにインジェクションバルブを切換える必要がなくなり、センサを配置しなくても装置動作の自動化を実現することが可能となる。さらに、充填剤とピストンとの間に形成される閉鎖空間の容積を実質的にゼロとすることができるので、カラムに空気が送り込まれることがなくなる。そのため、カラム内の充填剤が乾燥したり、サンプルの結晶化が起こったりするのが抑制される。このように、請求項１によると、実際に液体クロマトグラフィを行う際に、その利便性が大幅に向上したり、検出精度がよくなるなどの様々な実用的な利益を得ることができる。
【００４３】
請求項２によると、支持部材によってインジェクターが着脱可能に支持されるので、予めサンプルが導入されたインジェクターを簡易に設置することができる。請求項３によると、切換え部材を操作して第１の連通孔が開いた状態でピストンを押し下げて閉鎖空間内の空気を第１の連通孔を介して外部に追い出してから、再度切換え部材を操作して第１の連通孔を閉じた状態にすることができる。これにより、シリンダとピストンとの間の閉鎖空間に空気が残ってしまうのを効率よく防止することができる。
【図面の簡単な説明】
【図１】本発明の第１の実施の形態のインジェクション装置を含む液体クロマトグラフ装置の概略的な模式図である。
【図２】図１に示すインジェクション装置に用いるインジェクターの断面図である。
【図３】図１に示すインジェクション装置に用いるインジェクターの支持部材の断面図である。
【図４】図３に示す支持部材の正面図である。
【図５】本発明の第２の実施の形態のインジェクション装置を含む液体クロマトグラフ装置の概略的な模式図である。
【符号の説明】
１      インジェクション装置
２      溶離液供給機構
３      インジェクター
３ａ      シリンダ
３ｂ      ピストン
３ｃ      充填剤
３ｄ      連通孔
３ｅ      連通孔
３ｆ      閉鎖空間
３ｇ      切換え部材
４      インジェクションバルブ
５      ポンプ
６〜９        容器
１０〜１２    電磁弁
１３      混合器
１４      カラム
１５      検知器
【図１】
0004588249.tif 000002
【図２】
0004588249.tif 000003
【図３】
0004588249.tif 000004
【図４】
0004588249.tif 000005
【図５】
0004588249.tif 000006